(57)【要約】【課題】    毎日の入浴時に健康増進を目的として使用する家庭用木製温浴器の洗浄を容易にするために従来、ビス留め構造となっていた底面部を引き出し方式の底面板にしたものである。  ４０℃前後の湯温は人間にとって快適であるが、雑菌にとっても繁殖に好適でレジオネレラ菌等が付着する可能性がある。このような不衛生な状態を防ぐためにも時々洗浄することが求められる。【解決手段】  本考案に係る、家庭用木製温浴器は木箱を上下逆に置き、２本の底面板固定木ネジ《２本》又は《４本》５を外し底面板の取手６を持ち底面板の本体７を手前に引き出すことにより、容易にセラミックボールをメッシュ袋ごと取り出せ、本体内部と共に簡単に洗浄できる。【選択図】図１
0003130214.tif 000002
【実用新案登録請求の範囲】
【請求項１】
木箱の前後方向及び左右方向にある側面板、上面板、底面板とにより平面視矩形状の箱状に形成され、その内部に温水に溶出しやすいセラミックボールを収容する容器であって、前記側面板のうち左右方向にあるものと上面・底面板には複数の通水孔を穿設し、底面板はその先端側に歪み防止用鋼板を、また根元側には引き出し用の取手をそれぞれ設け、対応する左右方向にある側面板の内面側に形成される溝部を介して引き出し可能に取り付けられ、かつセラミックボールの収容状態においてその根元側を木ネジ固定してなる家庭用木製温浴器。
【考案の詳細な説明】
【技術分野】
【０００１】  本考案は、家庭用木製温浴器の洗浄の容易化を図り、なおかつ内部に温水に溶出しやすいセラミックボールを収納したものである。
【背景技術】
【０００２】  従来の家庭用木製温浴器は、図７に示すように底面部１６、１７をビス１８で本体１５に固定するという構造となっていた。
【考案の開示】
【考案が解決しようとする課題】
【０００３】  底面部を多数のビス止め構造とした場合、底面部の取り付け・取り外しが極めて面倒となり、内部の洗浄等の作業頻度が落ちる。また、４０℃前後の風呂水は人間にとって快適であるが、雑菌にとっても繁殖に好適のため時々洗浄しないと雑菌が付着しやすく、衛生面からも具合が悪い。【０００４】  本考案は、浴槽内で使用され雑菌等が付着しやすい内部を簡単に洗浄することができる家庭用木製温浴器を提案するものである。
【課題を解決するための手段】
【０００５】  本考案に係る家庭用木製温浴器は、木箱の前後方向及び左右方向にある側面板、上面板、底面板とにより平面視矩形状の箱状に形成され、その内部に温水に溶出しやすいセラミックボールを収容する容器であって、前記側面板のうち左右方向にあるものと上面・底面板には複数の通水孔を穿設し、底面板はその先端側に歪み防止用鋼板を、また根元側には引き出し用の取手をそれぞれ設け、対応する左右方向にある側面板の内面側に形成される溝部を介して引き出し可能に取り付けられ、かつセラミックボールの収容状態においてその取手部分を木ネジ《２本》又は大きいサイズの木箱は木ネジ《４本》のみで固定してなることを特徴とする。
【考案の効果】
【０００６】  本考案に係る、家庭用木製温浴器は底面板を簡単に取り外すことができ、内部を楽に清掃することができ良好な衛生状態を保つことができる。【０００７】  本考案に係る、家庭用木製温浴器は底面板に取手を設け、木ネジ２本又は４本のみで固定しているため着脱が簡単にできる。【０００８】  更に、底面板先端には歪み防止用鋼板２枚をサンドイッチ状に取り付けることにより反り等の変形を防止できる構造としている。
【考案を実施するための最良の形態】
【０００９】  本考案に係る家庭用木製温浴器は図１から図５に示すように、木箱本体の前後方向にある側面板１、木箱本体の前後方向にある側面板２、木箱本体の左右方向にある側面板３、木箱上面板４と底面板固定木ネジ５、底面板取手６、底面板本体７、歪み防止用鋼板８、歪み防止用鋼板固定ネジ９、更に、通水孔１０、メッシュ袋１２に詰めたセラミックボール１１で構成される。【００１０】  本考案による、家庭用木製温浴器は専門工場において図１に示すように木箱本体の前後方向にある側面板１、木箱本体の前後方向にある側面板２、木箱本体の左右方向にある側面板３と木箱上面板４を矩形状の箱状に一体構造となる加工を施した「木箱本体」と、同じく専門工場において底面板取手６と底面板本体７、更にその先端部に歪み防止用鋼板８を表裏に１枚づつサンドイッチ状にネジ９で固定するという一体構造の加工を施した「底面板」より成る。【００１１】  木箱本体及び底面板は檜材等の浴槽水に漬けても変形しにくく、また芳香性のある木材で製作し、底面板は引き出し方式とする。更に、木箱本体と底面板の取り合いはミゾ・ホゾ型とする。また、図５（木箱本体の前後方向にある側面板１・木箱本体の左右方向にある側面板３と底面板本体７の取り合い部詳細）に示すようにミゾ・ホゾ構造のクリアランスは適宜に設定し木板が温水を吸い込み膨張した場合の反り等の歪みを吸収できる構造とする。【００１２】  本考案に係る、木製温浴器内部には図３及び図４に示すように、セラミックボール１１を収納や洗浄時の取り扱いを容易にするため２層に分けて水切れのいいメッシュ袋１２に詰める。また、木箱縦板、木箱上面板及び底面板には通水や水抜きを考慮し複数の通水孔１０を穿設する。【００１３】  本考案に係る、セラミックボール１１とは鉱石本来の特徴を失わずに、温水に溶出しやすい最適の温度でボール状に焼成してなるセラミックス類をいう。  前記、セラミックボール１１は短時間で各鉱石がもつ固有の特長を溶出するとともに、Ｃａ、Ｎａ、ｋ、Ｍｇ等のミネラルを多量に溶出する高機能セラミックスである。【００１４】  本考案に係る底面板の取り付け方法は、▲１▼木箱本体を上下逆に置き、木箱上面板４の上にメッシュ袋１２（２袋）に詰められたセラミックボール１１を丁寧に収納する。▲２▼上下を逆にした底面板取手６を持ち、木箱本体の左右方向にある側面板３に施された溝に沿って底面板本体７を挿入する。▲３▼底面板本体７は木箱本体の前後方向にある側面板１の溝まで丁寧かつ確実に挿入する。▲４▼底面板取手６が木箱本体の前後方向にある側面板２と同じ位置まで挿入されたことを確認し、底面板固定木ネジ《２本》５をドライバー等で締め確実に固定する。【００１５】  本考案に係る家庭用木製温浴器の使用方法は、図−６に示すように浴槽に設置した後に、水や温水を注いで使用する。
【図面の簡単な説明】
【００１６】
【図１】は、本考案による家庭用木製温浴器の「木箱本体」・「底面板」の構造および組立状況を示す斜視図。
【図２】は、本考案による家庭用木製温浴器の底面板斜視図。
【図３】は、家庭用木製温浴器の内部にセラミックボールをメッシュ袋に詰めたものを２袋に分けて収納した状態を示す木箱の縦方向断面図。
【図４】は、家庭用木製温浴器の本体内部に収納するセラミックボールをメッシュ袋２枚に詰めた状態を示す図。
【図５】は、同じく家庭用木製温浴器の木箱本体の前後方向にある側面板・木箱本体の左右方向にある側面板との取り合い部詳細を示す断面図。
【図６】は、本考案に係る家庭用木製温浴器の使用状態を示す略図。
【図７】は、従来の木製温浴器の構造を表す斜視図。
【符号の説明】
【００１３】  １  木箱本体の前後方向にある側面板  ２  木箱本体の前後方向にある側面板  ３  木箱本体の左右方向にある側面板  ４  木箱本体の上面板  ５  底面板固定木ネジ  ６  底面板の取手  ７  底面板の本体  ８  底面板の歪み防止用鋼板  ９  底面板の歪み防止用鋼板を固定するネジ１０  通水及び水抜きを目的とする通水孔１１  セラミックボール１２  メッシュ袋１３  本考案に係る家庭用木製温浴器１４  浴槽１５  従来の木製温浴器本体１６  従来の木製温浴器底面部その１１７  従来の木製温浴器底面部その２１８  従来の木製温浴器底面部取り付け用ビス
【図１】
0003130214.tif 000003
【図２】
0003130214.tif 000004
【図３】
0003130214.tif 000005
【図４】
0003130214.tif 000006
【図５】
0003130214.tif 000007
【図６】
0003130214.tif 000008
【図７】
0003130214.tif 000009